(57)【要約】【課題】  洗面室の壁面に送風機の設置スペースを必要としないで、十分な送風効果を得ることができ、かつ物品の出し入れが行い難くならない送風機付き吊り戸棚及びこれを有する洗面化粧台を得る。【解決手段】  洗面化粧台２の上部に取り付け可能な正面開口状のボックス本体１０と、このボックス本体１０の正面開口部に開閉自在に取り付けられた開き戸１１とを備えている吊り戸棚１において、ボックス本体１０の内部が、開き戸１１によって正面開口部が閉塞される物品収納用の第一空間１２と、開き戸１１によって正面開口部が閉塞されない機器収納用の第二空間１３とに左右方向で区分されており、この第二空間１３に送風機１６を組み込む。【選択図】      図１
2006271788.tif 000002
【特許請求の範囲】
【請求項１】
洗面化粧台の上部に取り付け可能な正面開口状のボックス本体と、このボックス本体の正面開口部に開閉自在に取り付けられた開き戸とを備えている吊り戸棚において、
前記ボックス本体の内部が、前記開き戸によって正面開口部が閉塞される物品収納用の第一空間と、前記開き戸によって正面開口部が閉塞されない機器収納用の第二空間とに左右方向で区分されており、この第二空間に送風機が組み込まれていることを特徴とする送風機付き吊り戸棚。
【請求項２】
前記第二空間と前記送風機の幅及び高さ寸法が互いに一致している請求項１に記載の送風機付き吊り戸棚。
【請求項３】
前記第二空間は前記ボックス本体の左右方向中途部に配置され、この第二空間の左右両側に前記第一空間が配置されている請求項１または２に記載の送風機付き吊り戸棚。
【請求項４】
前記第二空間は前記ボックス本体の左右方向中央部に配置され、この第二空間の左右両側に前記第一空間が左右対称状に配置されている請求項３に記載の送風機付き吊り戸棚。
【請求項５】
前記第二空間の正面開口部が前記送風機のフェイスプレートで閉塞され、このフェイスプレートが閉塞状態の前記開き戸とほぼ面一となる厚さに形成されている請求項１〜４のいずれか一項に記載の送風機付き吊り戸棚。
【請求項６】
前記第二空間の幅寸法がモジュール幅の整数倍に設定されている請求項１〜５のいずれか一項に記載の送風機付き吊り戸棚。
【請求項７】
前記送風機のフェース面下部に送風口が設けられている請求項１〜６のいずれか一項に記載の送風機付き吊り戸棚。
【請求項８】
下部収納ボックスと、このボックスの上部に設けられた洗面カウンタと、この洗面カウンタの奥側から立ち上がる鏡付き壁部と、この鏡付き壁部の上方に配置された請求項１〜７のいずれか一項に記載の送風機付き吊り戸棚とを備えている洗面化粧台。
【請求項９】
前記鏡付き壁部に設けられた鏡の幅方向中央部に対応する位置に前記吊り戸棚に組み込まれた送風機が配置されている請求項８に記載の洗面化粧台。
【発明の詳細な説明】
【技術分野】
【０００１】
本発明は、送風機が付けられた吊り戸棚、及びこの吊り戸棚を有する洗面化粧台に関する。
【背景技術】
【０００２】
従来から、例えば浴室に隣接する脱衣場等において洗面カウンタや鏡付き壁部を備えた洗面化粧台が使用されており、この洗面化粧台が設置されている洗面室の壁面に暖房や涼風機能を有する壁掛けタイプの送風機を取り付けることが行われている。しかし、狭い洗面室の壁面は限られているため、送風機の設置スペースは確保しづらいものであった。さらに、同壁掛けタイプの送風機は、天井に近いところに設置されてユーザーから遠い位置にあり、しかもユーザーの側方にあるため、例えば冬場の寒い時期に化粧台の前で歯磨きや整髪等をしながら送風機から出る温風に直接的に当たることはできない。このような欠点を解決するために、洗面化粧台の上部に配置される図９に示す吊り戸棚３０が知られている。この吊り戸棚３０は底板に送風機３１が組み込まれており、ユーザーは洗面化粧台の正面で当該送風機３１の風にあたることができるようになっている。
【発明の開示】
【発明が解決しようとする課題】
【０００３】
しかしながら、上記送風機３１が吊り戸棚３０の底板に組み込まれているため、当該送風機の上面３１ａにより戸棚内の収納部分が高くなり、物品の出し入れがし難くなるという問題がある。すなわち、この種の洗面化粧台の吊り戸棚は比較的高い位置に設置されているため、送風機３１を組み込んだ吊り戸棚３０の内部が底上げされ下部スペースが侵されると、その内部の物品の収納位置がさらに高くなってしまい、物品の出し入れが非常に行い難くなってしまう。
そこで、本発明はこのような従来技術の問題点に鑑み、洗面室の壁面に送風機の設置スペースを必要としないで十分な送風効果を得ることができ、かつ物品の出し入れが行い難くならない送風機付き吊り戸棚及びこれを有する洗面化粧台を得ることを目的とする。
【課題を解決するための手段】
【０００４】
上記目的を達成するため、本発明は次の技術的手段を講じた。
すなわち、本発明は、洗面化粧台の上部に取り付け可能な正面開口状のボックス本体と、このボックス本体の正面開口部に開閉自在に取り付けられた開き戸とを備えている吊り戸棚において、前記ボックス本体の内部が、前記開き戸によって正面開口部が閉塞される物品収納用の第一空間と、前記開き戸によって正面開口部が閉塞されない機器収納用の第二空間とに左右方向で区分されており、この第二空間に送風機が組み込まれていることを特徴とする。
【０００５】
上記本発明の吊り戸棚によれば、洗面化粧台の上部に取り付け可能な吊り戸棚のボックス本体に送風機を組み込むようにしたので、送風機の設置スペースを洗面室の壁面に設ける必要がなく、洗面化粧台に向かって歯磨きや洗髪を行っているユーザーに対してより近くから温風や涼風を送ることができる。また、ボックス本体の内部を、開き戸によって正面開口部が閉塞される物品収納用の第一空間と、開き戸によって正面開口部が閉塞されない機器収納用の第二空間とに左右方向で区分し、この第二空間に送風機を組み込むようにしたので、ボックス全体としては左右方向スペースが第二空間によって小さくなるものの、物品収納用の当該第二空間については、従来の底板に送風機を組み込んだ吊り戸棚のように下部スペースが侵されることがなくなり、物品の出し入れを支障なく行うことができる。
【０００６】
ところで、上記の吊り戸棚において、機器収納用の上記第二空間に組み込まれる送風機が例えば縦長を呈している場合に、これを横向きに寝かせて設置すれば当該第二空間の上部に無駄なスペースができる。したがって、前記第二空間と前記送風機の幅及び高さ寸法を互いに一致させるようにして、送風機を第二空間に合わせて嵌め込めば、吊り戸棚のボックス本体内の空間を有効活用することができる。
【０００７】
上記ボックス本体の左右方向で区分された第一空間と第二空間を配置する順序は、どのようなものでもよく、例えば吊り戸棚の端から順に機器収納用の第二空間、物品収納用の第一空間というように配置することや、あるいは同第二空間をボックス本体の左右方向中途部分に配置し、この第二空間の左右両側に第一空間を配置してもよい。特に、送風機が組み込まれる当該第二空間をボックス本体の左右方中央部に配置し、この第二空間の左右両側に物品収納用の第一空間を左右対称状に配置すれば、送風機が吊り戸棚の左右方向中央部にくることになり、洗面台の鏡の前に居るユーザーに対してより近い位置から送風機の風を送ることができる。このように、送風機の風を洗面台の中央部から送ることができれば、送風機にドライヤー機能が備わっている場合には好適となる。
【０００８】
また、上記ボックス本体の第二空間に組み込まれた送風機により吊り戸棚の正面に凹凸をつくってしまうと洗面化粧台の外観が悪くなるため、前記第二空間の正面開口部を送風機のフェイスプレートで閉塞し、このフェイスプレートを閉塞状態の第二空間の開き戸とほぼ面一となるような厚さに形成すればよい。このようにすれば、第二空間を閉塞するフェイスプレートと、第一空間を閉塞する開き戸が面一となるので、例えば送風機が吊り戸棚から出っ張ったようなものよりは、吊り戸棚の意匠性が良好となる。
【０００９】
なお、上記本発明において、前記第二空間の幅寸法をモジュール幅の整数倍に設定すれば、幅寸法の異なる複数種類の吊り戸棚を製造するにあたって、幅寸法が規格外の開き戸を別途製作する必要がなくなり製造コストを低減することができる。
【００１０】
上記送風機に関して、当該送風機のフェース面下部に送風口を設けるようにすれば、送風機にドライヤー機能が備えられている場合には、ハンディタイプのドライヤーのように頭部に近いところから温風を当てることができる。
【００１１】
上記本発明の吊り戸棚は、例えば下部収納ボックスと、このボックスの上部に設けられた洗面カウンタと、この洗面カウンタの奥側から立ち上がる鏡付き壁部とを備えた洗面化粧台の当該鏡付き壁部の上方に配置することができる。また、前記鏡付き壁部に設けられた鏡の左右方向中央部に対応する位置に吊り戸棚に組み込まれた前記送風機を配置すれば、洗面台の鏡の前に居るユーザーの頭部に送風機の風を直接的に送ることができ、従来の壁掛けタイプの送風機を設置した場合とは異なり、ユーザーは鏡を見ながら楽に髪を乾かすことができる。
【発明の効果】
【００１２】
上記の通り本発明によれば、吊り戸棚内に物品収納用とは別の左右方向で区分された空間に送風機を組み込むようにしたので、洗面室の壁面に送風機の設置スペースを必要としないで十分な送風効果を得ることができ、かつ物品の出し入れが行い難くならない。
【発明を実施するための最良の形態】
【００１３】
以下、図面を参照しつつ本発明の実施形態を説明する。図１は、本発明に係る吊り戸棚１を備えた洗面化粧台２の一実施形態を示している。この洗面化粧台２は、下部収納ボックス３と、このボックス３の上部に設けられた洗面カウンタ４と、この洗面カウンタ４の奥側から立ち上がる鏡付き壁部５と、この鏡付き壁部５の上方に配置された吊り戸棚１とで主構成されている。このうち吊り戸棚１は、洗面具等の物品を収納するためのものであり、洗面化粧台２の上部に取り付け可能な正面開口状のボックス本体１０と、このボックス本体１０の正面開口部に開閉自在に取り付けられた開き戸１１とを備えている。
【００１４】
上記洗面化粧台２のうち洗面カウンタ４には洗面ボール４Ａが設けられており、この洗面ボール４Ａは洗面カウンタ４の左右両端に渡って大きくとられてユーザーが使用し易いようになっている。また、洗面カウンタ４の奥側で鏡付き壁部５の下部には、横長の箱体部７が配置されており、これには水栓本体６及び吐水口１９が取り付けられている。水栓本体６には図示しない水道管から水道水を供給可能な給水管と、外部の給湯器から湯を供給可能な給湯管とが繋げられており、吐出された水は上記洗面ボール４Ａで受けられて図示しない排水管で排出されるようになっている。
【００１５】
また、洗面カウンタ４の奥側から立ち上がる鏡付き壁部５の前面には中央とその左右両側とで幅サイズの異なる三枚の縦長の鏡５Ａが設けられており、当該壁部５の内部にはそれぞれの鏡５Ａが扉となっている複数の図示しない収納ラックが設けられている。この収納ラックにより、鏡５Ａの裏側にタオルや歯ブラシ等を置いておくことができ利便性が高いものとなっている。また、鏡５Ａの上部には、壁部５の左右両側にわたる横長の照明具８が設けられており、ユーザーが鏡５Ａの下部に配置されたスイッチ９を操作することにより正面からの光で整髪作業等がし易いようになっている。
【００１６】
洗面化粧台２の下部に配置された下部収納ボックス３は、洗面カウンタ４と一体的なデザインをなすように構成されている。また、下部収納ボックス３の正面には引戸３Ａが開閉自在に取り付けられており、その上部に設けられた引手３Ａａを手前方向に引くことにより引出が開くようになっている。これにより、収納ボックス３への大型物品の出し入れがし易く、使い勝手のよいものとなっている。さらに下収納ボックス３の下部には設置台１７が設けられており、この設置台１７を介して洗面化粧台２が洗面室の所要箇所に設置される。
【００１７】
吊り戸棚１のボックス本体１０は、正面に開口部を有する横長の有底箱形状をなしており、図２に示すようにその幅寸法（図２左右方向寸法）は高さ寸法の二倍以上で、奥行き寸法はボックス容積を確保できるように十分な長さがとられている（図３参照）。また、ボックス本体１０の内部は、図２及び図３に示すように両側の物品収納用の第一空間１２と、これら第一空間１２の間に位置する機器収納用の第二空間１３とに左右方向（幅方向）で区分されている。このうち第二空間１３はボックス本体１０の左右方向中央部に配置され、第一空間１２が第二空間１３の左右両側で左右対称状に配置されている。すなわち、両側の同第二空間１３は、互いに同じ幅寸法で形成されている。
【００１８】
吊り戸棚１の中央部に配置された上記第二空間１３は、第一空間１２の幅寸法よりも狭い幅で形成され、当該第二空間１３の存在により第一空間１２を圧迫しないようになっている。また、吊り戸棚１の両側に配置された第一空間１２は、それぞれ正面視ほぼ正方形状となっており、この第一空間１２の正面開口部とほぼ同じ面積を有する開き戸１１によって当該開口部が閉塞されるようになっている（図４（ａ）、（ｂ）参照）。なお、上記第一空間１２は、間口により正面視縦長に形成することや、正面視横長に形成してもよく、その形状は限定されない。各開き戸１１は、第一空間１２の外側でボックス本体１内面の上下に固定された図５（ｂ）に示す二つのヒンジ１４によってボックス本体１０に開閉自在に取り付けられており、ユーザーは当該開き戸１１の中央側下部に固定された取手１１Ａａを斜め外側に引くことによって、戸棚を開いて物品の出し入れを行うことができる。図４（ａ）に示すように上記開き戸１１は機器収納用の第二空間１３の正面開口部には至っておらず、同第二空間１３は当該開き戸１１によっては閉塞されないようになっている。
【００１９】
図２等に示すように機器収納用の上記第二空間１３には、暖房機能及び涼風機能を有する送風機１６が組み込まれており、この第二空間１３の正面開口部が当該送風機１６のフェイスプレート１６ａで閉塞されている。このフェイスプレート１６ａは、開き戸１１とほぼ同じ厚さで形成されており、開き戸１１が閉塞された状態では図４（ｂ）に示すように当該開き戸１１の表面とフェイスプレート１６ａの表面とが面一となっている。このようにすれば、図５（ａ）に示すように吊り戸棚１の正面に凹凸ができず吊り戸棚１の意匠性が良好となる。
【００２０】
また、上記送風機１６は縦長で、かつ、図３及び図４（ａ）に示すように第二空間１３と幅及び高さ寸法が互いに一致するように形成されており、無駄な空間が生じないように当該第二空間１３に合わせてきっちりと嵌め込まれている。仮に、第二空間１３の幅寸法を大きくとり、これにこの縦長の送風機１６を横向きに寝かせて設置すれば第二空間１３に無駄なスペースが形成されてしまう。本実施形態のように、第一空間１２の残りのスペースともいえる第二空間１３に送風機１６の各寸法を一致させることで、送風機１６が占有している空間以外の空間を極力大きくとることができ、吊り戸棚１の内部空間を有効活用することができる。それと共に、物品収納用の第一空間１２には、従来技術のように送風機１６による出っ張りがなく物品の出し入れの障害になる部分がない。
【００２１】
なお、左右方向に区分された上記第一空間１２と上記第二空間１３を配置する左右方向の順序はどのようなものでもよく、例えば吊り戸棚１の端に機器収納用の第二空間（送風機１６）を配置することもできる。本実施形態のように、第二空間１３をボックス本体１０の左右方向中央部に配置し、この第二空間１３の左右両側に第一空間を配置すれば、送風機１６が、吊り戸棚１の左右方向中央部、つまり鏡５Ａの左右方向中央部に対応するところに位置し、洗面台の前に居るユーザーに対してより近い位置から送風機１６の温風や涼風を送ることができる。また、従来の壁掛けタイプの送風機を設置した場合のように、ユーザーが洗面化粧台２から離れずに、洗面カウンタ４中央で歯磨きや整髪等を行いながら送風機１６の風を受けることができる。
【００２２】
図６及び図７に示すように、フェイスプレート１６ａは格子状となっており、そのフェース面下部に送風口１６ｃが設けられ、この送風口１６ｃの上方に吸気口１６ｄが設けられている。送風口１６ｃは斜め下方に向けられており、さらに当該送風口１６ｃには正面向きのルーバーが１６ｅが、風向きを上下変更可能に取り付けられている。これにより、洗面台の前に居るユーザーの所望部位に、送風機から出る温風や涼風を局所的に当てることができる。例えば送風機１６にドライヤー機能を設けた場合には、ハンディタイプのドライヤーのように頭部にひじょうに近いところから温風を当てることができる。なお、本実施形態のフェイスプレート１６ａは格子状となっているがこれに限定するものではなく、その他の形状とすることもできる。鏡５Ａの下部にはスイッチ９が設けられており、このスイッチ９で温風、涼風の切換え操作をすることにより、冬場に洗面所を暖房することや、夏場に涼風で涼むこと等ができる。
【００２３】
また、上記洗面化粧台２の製作にあたり、送風機１６が組み込まれる第二空間１３の幅寸法（左右方向寸法）はモジュール幅の整数倍に設定されており、幅寸法の異なる複数種類の吊り戸棚を製造する場合であっても、規格外の幅寸法を有する開き戸１１をわざわざ製作する必要がない。つまり、規格にしたがって製作された既成サイズの各種開き戸を用いることができ、バリエーションを広げながら製造コストを抑制することができる。
【００２４】
上記本実施形態の吊り戸棚１及び洗面化粧台２によれば、洗面化粧台２の上部に配置された吊り戸棚１のボックス本体１０に送風機１６を組み込むようにしたので、従来のように送風機１６の設置スペースを洗面室の壁面に設ける必要がない。壁掛けタイプの送風機を使用した従来技術においては、例えば冬場の寒い時期でも、ユーザーは送風機のある壁に向かわなければならなかったが、本実施形態の洗面化粧台２ではその必要がなく、ユーザーは歯磨きや洗髪を行いながら、あるいは両手を使ったままで送風機１６からの温風をより近くから受けることができる。
【００２５】
また、吊り戸棚１のボックス本体１０の内部を、物品収納用の第一空間１２と機器収納用の第二空間１３とに左右方向で区分し、この第二空間１３に送風機１６を組み込むようにしていることから、ボックス全体としては左右方向スペースが第二空間１３によって小さくなるものの、物品収納用の第二空間１３については、従来の底板に送風機が組み込まれた吊り戸棚のように下部スペースが侵されることがなくなり、物品の出し入れを支障なく行うことができる。
【００２６】
本発明は、上記実施形態に限定するものではない。例えば、図８に示すように送風機１６の左側に物品収納用の第一空間１２が二つ設けられた吊り戸棚２０とすることもできる。この吊り戸棚２０では、上記実施形態の吊り戸棚１と同様に送風機１６の両隣の第一空間１２は同じ幅で形成され、最も左側の第一空間１２Ａは、他の第一空間１２の幅よりも小さく形成されている。また、図示しないがこれら各第一空間１２、１２Ａにも、開き戸がヒンジを介して開閉自在に設けられており正面開口部を閉塞できるようになっている。このように、物品収納用の第一空間を三つ設けることで収納物品を整理し易くなる。
【００２７】
なお、第１空間１２及び第二空間１３を設ける数や、その高さ及び幅寸法、配置は勿論変更することができる。例えば、送風機１６（第二空間１３）の片側に第一空間１２を二つあるいはそれ以上設けてもよく、さらに送風機１６は一つに限らず吊り戸棚１の両端部に各一つずつ計二つ設けて、洗面化粧台２の両サイドからユーザーに向けて送風できるようにしてもよい。送風機１６は例示したものに限られず、送風口１６ｃや吸気口１６ｄの形状や位置を変更してもよい。また、上記実施形態の洗面化粧台２は、あくまで一例を示したものであり、照明具や鏡、洗面カウンタ、収納ボックスのデザインをユーザーの趣向に合わせてそのバリエーションを広げることができる。
【図面の簡単な説明】
【００２８】
【図１】洗面化粧台の斜視図である。
【図２】ボックス本体に送風機を組み込んだ正面図である。
【図３】図２上面図である。
【図４】（ａ）は吊り戸棚の上面図であり、（ｂ）は正面図である。
【図５】（ａ）は吊り戸棚の側面図であり、（ｂ）は図２のＡ−Ａ線断面図である。
【図６】フェイスプレートの正面図である。
【図７】フェイスプレートの断面図である。
【図８】送風機を組み込んだボックス本体の変更例である。
【図９】従来の吊り戸棚の正面図である。
【符号の説明】
【００２９】
１      吊り戸棚
２      洗面化粧台
３      収納ボックス
４      洗面カウンタ
５      鏡付き壁部
１０    ボックス本体
１１    開き戸
１２    第一空間
１３    第二空間
１６    送風機
１６ａ  フェイスプレート
１６ｃ  送風口
【図１】
2006271788.tif 000003
【図２】
2006271788.tif 000004
【図３】
2006271788.tif 000005
【図４】
2006271788.tif 000006
【図５】
2006271788.tif 000007
【図６】
2006271788.tif 000008
【図７】
2006271788.tif 000009
【図８】
2006271788.tif 000010
【図９】
2006271788.tif 000011